(57)【要約】【目的】  ユーザーがテレビ電話を行う場合に、ユーザーの顔をその下方から鼻の穴が大きく撮像された画像を撮像することを防止しながら、ユーザーのカメラ目線の自然な映像を撮像することができる、折畳式携帯電話端末を提供する。【構成】  操作部を備えた操作部側本体と、表示部と撮像部を備えた表示部側本体と、前記操作部側本体と表示部側本体とを、それらがユーザー側に開かれた状態にも互いに折り畳まれた状態にもできるように接続するための接続部と、前記表示部側本体を、前記操作部側本体に対して、前記操作部側本体から所定距離だけユーザーから見て上方向に離れた位置に支持するための支持部であって、前記操作部側本体と前記表示部側本体とを連結する部材により形成された支持部と、を備えている。【選択図】    図１Ａ
2005269594.tif 000002
【特許請求の範囲】
【請求項１】
操作部を備えた操作部側本体と、
表示部と撮像部を備えた表示部側本体と、
前記操作部側本体と表示部側本体とを、それらがユーザー側に開かれた状態にも互いに折り畳まれた状態にもできるように接続するための接続部と、
前記表示部側本体を、前記操作部側本体に対して、前記操作部側本体に近接する第１の位置から前記操作部側本体から所定距離だけユーザーから見て上方向に離れる第２の位置へ移動可能に支持し且つその第２の位置においてその位置を保持可能に支持するための支持部であって、前記操作部側本体と前記表示部側本体とを連結する部材を含む支持部と、
を備えたことを特徴とする折畳式携帯電話端末。
【請求項２】
請求項１において、前記支持部は、前記表示部側本体の表示部の表示面の平面方向が、重力方向とほぼ平行となるように、又は前記操作部側本体の平面の方向と重力方向との間の方向となるように、その途中部分が折れ曲がるように形成されていることを特徴とする折畳式携帯電話端末。
【請求項３】
請求項１において、前記支持部は、前記操作部側本体、前記接続部又は前記接続部の上方の支持台の背面又は側面、及び、前記表示部側本体の背面又は側面に、取り付けられていることを特徴とする折畳式携帯電話端末。
【請求項４】
請求項１において、前記表示部側本体には、テレビ電話のために使用できるマイクが備えられている、ことを特徴とする折畳式携帯電話端末。
【発明の詳細な説明】
【技術分野】
【０００１】
本発明はテレビ電話機能を備えた折畳式携帯電話端末に関する。
【背景技術】
【０００２】
従来より、テレビ電話機能を備えた携帯電話について、様々な提案がなされている。これらの提案は、主に２つの使用方法を前提している。すなわち、携帯電話のマイクとスピーカをユーザーの口元と耳元に近接させた状態で使用する方法と、携帯電話のマイクとスピーカをユーザーの口元と耳元から離した状態で使用する方法と、の２つである。
【０００３】
（１）第１の方法、すなわち、携帯電話のマイクとスピーカをそれぞれユーザーの口元と耳元に近接させた状態で使用する方法を前提とする場合は、通話の相手方の映像を表示する表示部とユーザーの画像を撮像する撮像部（例えばビデオカメラ部）とをユーザーの顔から離れた位置に配置する必要がある。
【０００４】
そのための工夫として、例えば、特許文献１（特開２０００−７８５４９）は、「表示部と撮像部とを備えた部分を携帯電話本体から分離させて、可動ロッドにより、携帯電話本体のスピーカ部分と水平方向に対向する位置に配置させること」を提案している（特許文献１の図３を引用した図４（ａ）を参照）。また、特許文献２（特開平８−６５６４７）は、「カメラと表示部を備えた操作パネルを、支持用のロッドにより、携帯電話本体から離れた位置であってユーザーの口の下方に位置に配置させること」を提案している（特許文献２の図３１を引用した図４（ｂ）参照）。また、特許文献３（特開２００３−２０９６０３）は、「通話時に、撮像素子を含む表示モジュールを、携帯電話本体から分離し、ユーザーが携帯電話本体を持っている手ではない方の片手で持つようにすること」を提案している（特許文献３の図の図９を引用した図４（ｃ）参照）。また、特許文献４（特開２００３−３２３４４）は、「カメラ及び表示モジュールを、携帯電話本体から分離して机の上に置いて使用すること」を提案している（特許文献４の図２及び図４を引用した図４（ｄ）参照）
【０００５】
また、この（１）の方法による場合の工夫として、前述のような携帯電話本体から表示部とカメラ部を分離する構成ではない別の構成も提案されている。例えば、特許文献５，６，７，８（特開２００２−２７０５０、特開２００１−２０３９９７、特開平９−３２７００７、特開２０００−５０２２３）は、「当初から携帯電話とは別個に腕などに装着するカメラ付き表示モジュールを備えるようにして、このカメラ付き表示モジュールと携帯電話とを無線で電気的に接続すること」を提案している（特許文献５の図２−３を引用した図５（ａ）、特許文献６の図１Ａを引用した図５（ｂ）、特許文献７の図１Ａを引用した図５（ｃ）、特許文献８の図１Ａを引用した図５（ｄ）参照）。
【０００６】
しかしながら、上記の特許文献１，２の提案する方法は、いずれも、携帯電話本体とロッドで接続された「カメラ付き表示部」を、ユーザーの口の下方の位置か又はこれと水平方向に対向する位置に配置するものであるので、前記表示部に付けられたカメラでユーザーの顔を撮像するとき、ユーザーの鼻（鼻の穴）がその下方から大きくアップされた状態で撮像されてしまう、という問題がある。また、上記の特許文献３−８の提案する方法は、いずれも、上記の問題に加えて、携帯電話本体とは別個の「カメラ付き表示モジュール」（携帯電話本体に収容され且つ携帯電話本体から分離可能なカメラ付きモジュール、又は、携帯電話とは当初から別体に構成されているカメラ付き表示モジュール）を、ユーザーが携帯電話本体を持っている手とは別の手で持つか机の上に配置しなくてはならないという煩雑さがあり、使い勝手が悪いという問題がある。
【０００７】
（２）次に、第２の方法、すなわち、携帯電話のマイクとスピーカをそれぞれユーザーの口元と耳元から離した状態で使用する方法は、イヤホンを使用すること（イヤホンの代わりに、非線形パラメトリック作用を利用して、指向性が高い超音波でユーザーの耳元にスポット的に相手方からの音声を届ける方法を使用してもよい）、又はスピーカからの音量を周囲にも聞こえる程度の音量に上げるハンズフリー機能を使用すること、を前提としている。イヤホンを使用する場合はイヤホン装着の煩わしさがあること、ハンズフリー機能を使用する場合は秘密の会話に適さないことなどの欠点はあるが、手軽にテレビ電話を楽しむには適している。
【０００８】
ただ、この方法では、ユーザーは一般に携帯電話を自分の顔の下方の位置に持って会話するため、携帯電話に搭載されたカメラで自分の顔を撮像するとき、自分の顔が下方から撮影されて、自分の鼻の穴が大きく写された画像が撮像されてしまう（特に、若い女性などにとっては、自分の顔が下方から鼻の穴が大きく写された画像として撮影されることを嫌がる傾向が強い）という問題がある。
【０００９】
また、特許文献９（特開２００３−１８２７２）は、このような問題を解決するため、撮像部のみを携帯電話からロッド状の支持部により突出させて、ユーザーが自分の顔の下方に携帯電話を持っている場合でも、撮像部だけは自分の顔の正面又はその上方に配置させるようにすることを提案している。しかしながら、この特許文献９の提案内容では、確かに、撮像部を携帯電話から上方に突出させることにより、ユーザーの顔はその正面又は上方から撮像することができるが、通話の相手方の画像を表示している表示部を含む携帯電話はユーザーの顔の下方に配置されているので、ユーザーの目線が撮像部の光軸と離れてしまい、ユーザーのカメラ目線の画像を撮像することができないという問題がある。
【特許文献１】特開２０００−７８５４９号公報
【特許文献２】特開平８−６５６４７号公報
【特許文献３】特開２００３−２０９６０３号公報
【特許文献４】特開２００３−３２３４４号公報
【特許文献５】特開２００２−２７０５０号公報
【特許文献６】特開２００１−２０３９９７号公報
【特許文献７】特開平９−３２７００７号公報
【特許文献８】特開２０００−５０２２３号公報
【特許文献９】特開２００３−１８２７２号公報
【発明の開示】
【発明が解決しようとする課題】
【００１０】
本発明は、上記（１）か（２）かの問題（スピーカ及びマイクをそれぞれユーザーの耳元及び口元に近接させるかどうかの問題）では、ハンズフリー機能やイヤホンなどを使用することによりスピーカ及びマイクをそれぞれユーザーの耳元及び口元に近接させることをしないでテレビ電話を行う場合を前提として、且つ、操作部を備えた操作部側本体と表示部と撮像部を備えた表示部側本体とを折り畳み可能にした折畳式の携帯電話端末であることを前提として、ユーザーの顔をその下方から鼻の穴が大きく撮像された画像を撮像することを防止しながら、ユーザーのカメラ目線の自然な映像を撮像することができる、折畳式携帯電話端末を提供することを目的とする。
【００１１】
前述のように、本発明は、上記（１）か（２）かの問題では上記（２）の場合（ハンズフリー機能やイヤホンなどを使用することによりスピーカ及びマイクをそれぞれユーザーの耳元及び口元に近接させることをしないでテレビ電話を行う場合）を前提としており、上記（１）の場合、すなわち、スピーカ及びマイクをそれぞれユーザーの耳元及び口元に近接させてテレビ電話を利用する場合は、前提としていない。
【課題を解決するための手段】
【００１２】
本発明の折畳式携帯電話端末は、操作部を備えた操作部側本体と、表示部と撮像部を備えた表示部側本体と、前記操作部側本体と表示部側本体とを、それらがユーザー側に開かれた状態にも互いに折り畳まれた状態にもできるように接続するための接続部と、前記表示部側本体を、前記操作部側本体に対して、前記操作部側本体に近接する第１の位置から前記操作部側本体から所定距離だけユーザーから見て上方向に離れた第２の位置へ移動させ且つその第２の位置に支持するための支持部であって、前記操作部側本体と前記表示部側本体とを連結する部材により形成された支持部と、を備えたことを特徴とするものである。
【００１３】
また、本発明において、前記支持部は、前記表示部側本体の表示部の表示面の平面方向が、重力方向とほぼ平行となるように、又は前記操作部側本体の平面の方向と重力方向との間の方向となるように、その途中部分（より望ましくは、支持部の表示部側本体に近い部分）が折れ曲がるように形成されていることが望ましい。
【００１４】
また、本発明において、前記支持部は、前記操作部側本体、前記接続部又は前記接続部の上方の支持台の背面又は側面、及び、前記表示部側本体の背面又は側面に、取り付けられていることが望ましい。
【００１５】
また、本発明において、前記表示部側本体には、テレビ電話のために使用できるマイクが備えられていることが望ましい。
【発明の効果】
【００１６】
本発明では、従来の折畳式携帯電話端末の「表示部及び撮像部を備えた表示部側本体」を、「操作部を備えた操作部側本体」に対して所定距離だけユーザーから見て上方に離れた位置で支持できるようにしているので、ユーザーは、本発明の折畳式携帯電話端末のテレビ電話機能を使用するとき、前記「操作部を備えた操作部側本体」を一方の手で自分の顔の下方の位置（持ちやすい位置）に保持しているときでも、前記「表示部及び撮像部を備えた表示部側本体」は自分の顔の上方に位置に配置させることができる。この場合、前記撮像部は、ユーザーの上方からユーザーの顔を撮像するが、テレビ電話を行っているときのユーザーは表示部を眺めているので、このときに撮像されるユーザーの顔画像は撮像部の方を見ているものとなる。よって、ユーザーは、自分の顔がその下方から鼻の穴が大きく撮像された画像として撮像されてしまうことを防止しながら、自分のカメラ目線の自然な映像を撮像して、相手方に送信することが可能になる。
【００１７】
すなわち、一般に、ユーザーが携帯電話を片手で持つ場合においては、携帯電話を自分の顔より上方の位置に保持しておくのは余計な力を必要とし疲れるので、ユーザーとしては、片手で持つ携帯電話は自分の顔より下方の位置に保持しておくのが通常である。したがって、前記「操作部を備えた操作部側本体」をユーザーが把持するときは、ユーザーは、それを自分の顔の下方の位置に保持するのが通常である。この場合、従来の折畳式携帯電話端末（操作部と撮像部とが一つの携帯電話端末に備えられている）では、撮像部も自分の顔の下方に位置するので、ユーザーを下方から写す画像すなわちユーザーの鼻の穴が大きく写された画像が撮像されてしまう。これに対して、本発明では、前記「表示部及び撮像部を備えた表示部側本体」は自分の顔の上方に位置に配置される（前記「表示部及び撮像部を備えた表示部側本体」を他方の手などで支持したり机の上に置いたりする必要はない）。よって、ユーザーは、自分の顔がその下方から鼻の穴が大きく撮像された画像として撮像されてしまうことを防止しながら、自分のカメラ目線の自然な映像を撮像して、相手方に送信することが可能になる。
【００１８】
また、特に、本発明の構成は、従来の折畳式携帯電話端末、すなわち、「操作部を備えた操作部側本体」と「表示部及び撮像部を備えた表示部側本体」とを接続部により折り畳み可能に接続した折畳式携帯電話端末の構造を基本的前提として、「表示部及び撮像部を備えた表示部側本体」を「操作部を備えた操作部側本体」に対して所定の距離だけユーザーから見て上方に移動させるようにしただけである。したがって、本発明の製品化は、従来の折畳式携帯電話端末の基本構造をそのまま活かしながら、少しの改良だけで、すなわち、前記操作部側本体と前記表示部側本体とを前記所定距離だけ離した状態で連結するための支持部を備えるだけで実現可能である。よって、本発明では、製品化のための製造コストを極めて少ないものに抑えることができる。
【００１９】
また、本発明において、前記支持部の途中部分が折れ曲がるようにして、前記表示部側本体の表示部の表示面が、重力方向（ユーザーから見て上下方向）とほぼ平行となるように又は重力方向と前記操作部側本体の平面の方向との間の方向を向くようにしたので、ユーザーが前記表示部側本体を操作部側本体から離れた位置で支持しているとき、表示部側本体の表示面（通話の相手方の画像が表示されている）がユーザーから見やすい角度に配置されるようになる。
【発明を実施するための最良の形態】
【００２０】
本発明を実施するための最良の形態は、以下の実施例１について述べるような形態である。
【実施例１】
【００２１】
図１Ａは本発明の実施例１を示す図である。図１Ａにおいて、１は把持側筐体、２は表示側筐体、３は把持側筐体１と表示側筐体２とを折り畳み可能に接続するためのヒンジ部、４は前記ヒンジ部３に連結された支持台であって前記表示側筐体２を支持するための支持台、である。
【００２２】
前記把持側筐体１には、英数字や記号を入力するためのテンキーなどのキーボード及びジョイスティックなどのポインティングデバイスなどを備えた操作部１ａ、マイク１ｂなどが備えられている。また、前記表示側筐体２には、ＬＣＤ（液晶表示装置）などの表示部２ａ、カメラ２ｂ、スピーカ２ｃ、テレビ電話専用マイク２ｄなどが備えられている。
【００２３】
本実施例１では、図１Ａ（ｂ）に示すように、前記支持台４と表示側筐体２とが互いに分離可能に構成されており、且つ、前記分離されたとき前記支持台４と表示側筐体２との間が支持棒５により機構的に連結されるようになっている。なお、図１Ａ（ｃ）は図１Ａ（ｂ）の側面図である。
【００２４】
また、本実施例１では、前記支持台４の内部回路と表示側筐体２の内部回路とは、前記支持棒５の内部に挿通された配線により電気的に接続されている。なお、前記支持台４の内部回路と表示側筐体２の内部回路とを、前記配線によらずに、ブルートゥースなどの無線通信手段により電気的に接続するようにしてもよい。
【００２５】
図１Ａ（ｂ）（ｃ）において、前記支持棒５は伸縮可能なロッドにより構成されている。前記支持棒５は、通常は（テレビ電話機能を使用しないとき）、表示側筐体２の空洞部６（図１Ａ（ｃ）参照）の中に収容されている。前記支持棒５は、テレビ電話機能を使用するときユーザーが一方の手で把持側筐体１を持ちながら他方の手で表示側筐体２を上方に引っ張り上げる動作を行うことにより、図１Ａ（ｂ）（ｃ）のように伸ばされて、表示側筐体２を把持側筐体１に対して所定の距離だけユーザーから見て上方向に離れた位置に配置させる。前記支持棒５は例えば金属製又はプラスチック製である程度の剛性を有しているので、表示側筐体２は把持側筐体１より上方の所定の位置の空間に安定的に支持される。なお、図１Ａ（ｂ）（ｃ）のように伸ばされたときの支持棒５の長さは、約１０−３０ｃｍ程度が望ましいが、これに限られるものではない。
【００２６】
なお、本実施例１においては、図１Ａ（ｂ）（ｃ）の状態でユーザーがテレビ電話機能を使用するときは、ユーザーの音声入力を、把持側筐体１のマイク１ｂではなく、表示側筐体２のテレビ電話専用マイク２ｄを使用して行うようにしている。すなわち、本実施例１では、ユーザーが支持棒５を引き伸ばして表示側筐体２を把持側筐体１から離したときは、そのこと（すなわち、ユーザーがテレビ電話機能を使用することを選択したこと）を所定のセンサ（図示せず。例えば、表示側筐体２と把持側筐体１との対向部分に備えられたバネ製スイッチにより構成され、表示側筐体２と把持側筐体１とが互いに近接しているときは電流の流れをＯＦＦ又はＯＮにさせ、互いに離れたときは電流の流れをＯＮ又はＯＦＦさせるようなスイッチにより構成されるセンサなど。）で検知して、このセンサからの信号に基づいて、表示側筐体２に内蔵されたマイクロコンピュータ（図示せず）が、前記テレビ電話専用マイク２ｄの作動を開始させると共に、把持側筐体１のマイク１ｂの作動をストップさせるようにしている。これにより、ユーザーは、「マイク、スピーカ、及び表示画面というテレビ電話のために使用する部分の全て」を自分の顔の前に配置された表示側筐体２に持たせることができるので、テレビ電話をより快適に行えるようになる。
【００２７】
また、図１Ａ（ｄ）は前記把持側筐体１と表示側筐体２及び支持台４とをヒンジ部３により折り畳んだときの状態を示す斜視図である。
【実施例２】
【００２８】
次に、図１Ｂ（ａ）を参照して本発明の実施例２を説明する。図１Ｂ（ａ）において、図１Ａと共通する部分には同一の符号を付している。図１Ｂ（ａ）において、把持側筐体１、表示側筐体２、ヒンジ部３、及び支持台４の構成は、実施例１で説明したものとほぼ同一である。
【００２９】
本実施例２では、前記支持台４と表示側筐体２とを連結するための支持棒５の途中部分（表示側筐体２に近い部分）に、折り曲げ固定部５ａを備えている点で、実施例１と異なっている。前記折り曲げ固定部５ａは、前記支持棒５の途中部分を所定の角度に折り曲げて固定するためのもので、例えば、従来より公知のヒンジ部とロック機構などで構成されている。
【００３０】
前記折り曲げ固定部５ａは、前記支持棒５の途中部分を所定の角度で折り曲げ固定して、表示側筐体２の表示部２ａ（図１参照）の表示面がユーザーから見やすい方向を向くようにするためのものである。すなわち、本実施例２では、この折り曲げ固定部５ａにより支持棒５の途中部分が折り曲げ固定されることにより、前記表示側筐体２の表示面が、重力方向（ユーザーから見て上下の方向）と平行な方向か、又は、把持側筐体１の平面の方向（図１Ｂ（ａ）の破線Ａを参照）と重力方向との間の中間の方向に、配置される。
【００３１】
よって、本実施例２によれば、把持側筐体１から支持棒５を介して上方に離れた位置に配置された表示側筐体２の表示面を、ユーザーにとって見やすい角度に配置することができる。また、表示側筐体２に備えられた撮像部２ｂによる撮像に際しても、ユーザーの顔面を正面の角度から撮像できる（すなわち、撮像部２ｂの撮像方向（撮像部２ｂの対物レンズの光軸方向）が、ユーザーの顔面の正面に対してほぼ垂直となる）。よって、前記撮像部２ｂにより、ユーザーの顔の正面から見た映像を取得できるようなる。
【００３２】
次に、図１Ｂ（ｂ）は、本実施例２を使用してテレビ電話をする場合（図１Ｂ（ａ）参照）と比較するために、本実施例２のような支持台４及び支持棒５を備えていない従来の折畳式携帯電話端末を使用してテレビ電話をする場合を示している。
【００３３】
図１Ｂ（ｂ）において、１’はマイク及びキーボード部やジョイスティックなどの操作部を備えた把持側筐体、２’は表示部、スピーカ及びカメラ２’を備えた表示側筐体、３’は前記把持側筐体１’と表示側筐体２’とを折り畳み可能に接続するヒンジ部である。
【００３４】
ユーザーが図１Ｂ（ｂ）に示す折畳式携帯電話端末を使用して、且つ、ハンズフリー機能又はイヤホンなどを使用して前記スピーカ及びマイクを自分の耳元及び口元から離した状態で（前記スピーカ及びマイクを自分の耳元及び口元に近接させない状態で）テレビ電話を行う場合は、ユーザーは、図１Ｂ（ｂ）の把持側筐体１’を片方の手で自分の顔の下方に保持するのが通常である（把持側筐体１’を自分の顔の上方に保持するのは余計な力が必要になり疲れるため）。以上より、この場合のユーザーの顔と前記表示側筐体２’との位置関係は、図１Ｂ（ｂ）に示すようになる。この場合、表示側筐体２’のカメラ２ｂ’は、図１Ｂ（ｂ）の破線の矢印Ｂ’に示すように、ユーザーの鼻Ｃをその下方から、すなわちユーザーの鼻Ｃの穴を大きく写すような方向から、撮像することになる。よって、この場合は、カメラ２ｂ’により撮像され通話の相手方に送信されるユーザーの顔の画像は、「ユーザーの鼻Ｃの穴が大きく目立つ不格好なもの」となってしまう。
【００３５】
これに対して、本実施例２を使用して、且つ、ハンズフリー機能又はイヤホンなどを使用して前記スピーカ及びマイクを自分の耳元及び口元から離した状態で（前記スピーカ及びマイクを自分の耳元及び口元に近接させない状態で）テレビ電話を行う場合は、ユーザーは、図１Ｂ（ａ）の把持側筐体１を片方の手で自分の顔の下方に保持するのが通常である（把持側筐体１を自分の顔の上方に保持するのは余計な力が必要になり疲れるため）。そして、この場合、ユーザーは、支持棒５を引き伸ばすことにより、表示側筐体２を把持側筐体１からその上方に離れた位置に配置させる。また、更に、ユーザーは、支持棒５の途中部分（より望ましくは、支持棒５の表示側筐体２に近い部分）を折り曲げ固定部５ａで図１Ｂ（ａ）に示すように折り曲げ固定することにより、表示側筐体２の表示面をユーザーにとって見やすい角度（例えば重力方向に近い角度）に配置させる。以上より、この場合のユーザーの顔と前記表示側筐体２との位置関係は、図１Ｂ（ａ）に示すようになる。この場合、カメラ２ｂは、図１Ｂ（ａ）の破線の矢印Ｂで示すように、ユーザーの鼻Ｃをその上方から、すなわちユーザーの鼻Ｃの穴を写さないような方向から、撮像することになる。よって、この場合は、カメラ２ｂにより撮像され通話の相手方に送信されるユーザーの顔の画像は、「ユーザーの鼻Ｃの穴をその上方から撮像した（鼻Ｃの穴が撮像されていない）格好の良いもの」となる。
【実施例３】
【００３６】
次に、図２を参照して本発明の実施例３を説明する。図２において、図１Ａと共通する部分には同一の符号を付している。図２において、把持側筐体１、表示側筐体２、ヒンジ部３、及び支持台４の構成は、実施例１で説明したものとほぼ同一である。
【００３７】
本実施例３では、前記支持台４と表示側筐体２とを連結するために、実施例１の支持棒５に替えて、支持用細板１１を採用している。
【００３８】
前記支持用細板１１は、前記支持台４の側面と前記表示側筐体２の側面とに取り付けられている。前記支持用細板１１は、３つの細板１１ａ，１１ｂ，１１ｃから成っている。前記細板１１ａの図示下端部１２ａは支持台４の側面に固定されている。また、前記細板１１ｃの上端部１２ｂは表示側筐体２の側面に固定されている。また、前記細板１１ａの図２（ｃ）における図示上端部と前記細板１１ｂの図２（ｃ）における図示下端部とはヒンジ部１２ｃにより回動自在に接続されている。また、前記細板１１ｂの図２（ｃ）における図示上端部と前記細板１１ｃの図２（ｃ）における図示下端部とはヒンジ部１２ｄにより回動自在に接続されている。
【００３９】
本実施例３では、前記支持台４と表示側筐体２とは、前記支持用細板１１により機構的に連結されている。また、前記支持台４の内部回路と表示側筐体２の内部回路とは、ブルートゥースなどの無線通信手段により電気的に接続されている。
【００４０】
前記支持用細板１１は、通常は（テレビ電話機能を使用しない場合は）、図２（ａ）に示すように、表示側筐体２と支持台４の側面と対向する位置（接触又は近接する位置）に、各細板１１ａ−１１ｃが互いに折り曲げられ重ね合わせられた状態で配置されている。前記支持用細板１１は、テレビ電話機能を使用するときユーザーが一方の手で把持側筐体１を持ちながら他方の手で表示側筐体２を上方に引っ張り上げる動作などを行うことにより、図２（ｂ）の状態から更に図２（ｃ）の状態に移行して、前記各細板１１ａ，１１ｂ，１１ｃが順次直線状に並んだ状態となり、表示側筐体２を把持側筐体１に対して所定の距離だけユーザーから見て上方に離れた位置に配置させる。前記支持用細板１１は例えば金属製又はプラスチック製である程度の剛性を有しているので、表示側筐体２は把持側筐体１より上方の所定の位置の空間に安定的に支持される。なお、図２（ｃ）のように伸ばされたときの支持用細板１１の長さは、約１０−３０ｃｍ程度が望ましいが、これに限られるものではなく、これ以上でもこれ以下でもよい。
【実施例４】
【００４１】
次に、図３を参照して本発明の実施例４を説明する。図３において、図１Ａと共通する部分には同一の符号を付している。図３において、把持側筐体１、表示側筐体２、ヒンジ部３、及び支持台４の構成は、実施例１で説明したものとほぼ同一である。
【００４２】
本実施例４では、前記支持台４と表示側筐体２とを連結するために、実施例１の支持棒５に替えて、支持用細板２１を採用している。
【００４３】
前記支持用細板２１は、前記支持台４の背面（図１Ａの示す面の反対側の面）と前記表示側筐体２の背面（図１Ａの示す面の反対側の面）に取り付けられている。前記支持用細板２１は、３つの細板２１ａ，２１ｂ，２１ｃから成っている。前記細板２１ａの図示下端部２２ａは支持台４の背面に固定されている。また、前記細板２１ｃの上端部２２ｂは表示側筐体２の背面に固定されている。また、前記細板２１ａの図３（ｃ）における図示上端部と前記細板２１ｂの図３（ｃ）における図示下端部とはヒンジ部２２ｃにより回動自在に接続されている。また、前記細板２１ｂの図３（ｃ）における図示上端部と前記細板２１ｃの図３（ｃ）における図示下端部とはヒンジ部２２ｄにより回動自在に接続されている。
【００４４】
本実施例４では、前記支持台４と表示側筐体２とは、前記支持用細板１１により機構的に連結されている。また、前記支持台４の内部回路と表示側筐体２の内部回路とは、ブルートゥースなどの無線通信手段により電気的に接続されている。
【００４５】
前記支持用細板２１は、通常は（テレビ電話機能を使用しない場合は）、図３（ａ）に示すように、表示側筐体２と支持台４の背面と接触又は近接する位置（対向する位置）に、各細板２１ａ−２１ｃが互いに折り曲げられ重ね合わせられた状態で配置されている。前記支持用細板２１は、テレビ電話機能を使用するときユーザーが一方の手で把持側筐体１を持ちながら他方の手で表示側筐体２を上方に引っ張り上げる動作などを行うことにより、図３（ａ）の状態から図３（ｂ）の状態へ更に図３（ｃ）の状態へ移行して、前記各細板２１ａ，２１ｂ，２１ｃが順次直線状に並んだ状態となり、表示側筐体２を把持側筐体１に対して所定の距離だけユーザーから見て上方に離れた位置に配置させる。前記支持用細板２１はある程度の剛性を有しているので、表示側筐体２は把持側筐体１より上方の所定の位置の空間に安定的に支持される。なお、図３（ｃ）のように伸ばされたときの支持用細板２１の長さは、約１０−３０ｃｍ程度が望ましいが、これに限られるものではなく、これ以上でもこれ以下でもよい。
【００４６】
なお、前記の各実施例１，２，３では、ユーザーが手動で表示側筐体２を把持側筐体１に対して上方に引き上げることにより、把持側筐体１より上方の位置に移動させるようにしているが、本発明では、ユーザーが例えば所定のスイッチを操作することなどにより自動的に（例えばモータ駆動により）表示側筐体２が把持側筐体１から分離してその上方の所定位置に移動するように構成してもよい。
【００４７】
また、前記の各実施例１，２，３では、ヒンジ部３と支持部（支持棒５、支持用細板１１，２１など）との間に支持台４を介在させているが、本発明はこれに限られるものではなく、前記支持台４を省略して、ヒンジ部３と支持部（支持棒５、支持用細板１１，２１など）とを直接に連結させるようにしてもよい。また、本発明では、ヒンジ部３と支持部（支持棒５、支持用細板１１，２１など）とを一体的に形成するようにしてもよい。また、この場合、支持部（支持棒５、支持用細板１１，２１など）は、ヒンジ部３と表示用筐体２の側面又は背面に取り付けようにしてもよい。また、支持部（支持棒５、支持用細板１１，２１など）は、把持用筐体１と表示用筐体２の側面又は背面に取り付けて、支持部（支持棒５、支持用細板１１，２１など）にヒンジ部としての機能及び構成をも持たせるようにしてもよい。
なお、前記各実施例（図２，図３に示す実施例）の中では、「前記支持台４の内部回路と表示側筐体２の内部回路とを、前記配線によらずに、ブルートゥースなどの無線通信手段により電気的に接続するようにしてもよい」と述べたが、さらに、前記把持用筐体１の操作部（キーボードなど）の内部回路と表示側筐体２の表示部（ディスプレイ）の内部回路とを、配線によらずに、ブルートゥースなどの無線通信手段により電気的に接続するようにしてもよい。
【図面の簡単な説明】
【００４８】
【図１Ａ】本発明の実施例１を説明するための図。
【図１Ｂ】本発明の実施例２を説明するための図。
【図２】本発明の実施例３を説明するための図。
【図３】本発明の実施例４を説明するための図。
【図４】従来のマイク及びスピーカをそれぞれユーザーの口元及び耳元に近接させた状態でテレビ電話を行う場合に関して提案されている特許文献１−４の内容を示す図。
【図５】従来のマイク及びスピーカをそれぞれユーザーの口元及び耳元に近接させた状態でテレビ電話を行う場合に関して提案されている特許文献５−８の内容を示す図。
【図６】従来のマイク及びスピーカをそれぞれユーザーの口元及び耳元から離した（近接させない）状態でテレビ電話を行う場合に関して提案されている特許文献９の内容を示す図。
【符号の説明】
【００４９】
１     把持側筐体
１ａ   操作部
１ｂ，２ｄ    マイク
２     表示側筐体
２ａ   表示部
２ｂ   カメラ
２ｃ   スピーカ
３，１２ｃ，１２ｄ，２２ｃ，２２ｄ ヒンジ部
４     支持台
５     支持棒
５ａ   折り曲げ固定部
６     空洞部
１１，２１    支持用細板
１１ａ，１１ｂ，１１ｃ，２１ａ，２１ｂ，２１ｃ   細板
１２ｂ，２２ｂ       上端部
【図１Ａ】
2005269594.tif 000003
【図１Ｂ】
2005269594.tif 000004
【図２】
2005269594.tif 000005
【図３】
2005269594.tif 000006
【図４】
2005269594.tif 000007
【図５】
2005269594.tif 000008
【図６】
2005269594.tif 000009